(57)【要約】      （修正有）【課題】トランス外形を大きくすることなくコモンモードノイズ成分を低減するスイッチング電源装置の提供。【解決手段】出力トランスＴ１の1次側巻線Ｐ１及び2次側巻線Ｓ１を分割せず、出力トランスの1次側巻線Ｐ１の両端に第１のスイッチング素子ＴＲ１と第２のスイッチング素子ＴＲ２をそれぞれ接続し、出力トランスＴ１の2次側巻線Ｓ１の両端に整流用ダイオードＤ１を接続し、フライホイール側の整流ダイオードＤ２の両端に互いに結合した２つのチョークコイルＬ１，Ｌ２を接続する構成とすることによって、トランスボビンに必要なピン数を最低で4ピンまで減らし、プリント基板上に必要な配線パターン長を短くし、コモンモードノイズの打消す。【選択図】図１
2005151680.tif 000002
【特許請求の範囲】
【請求項１】
出力トランスの１次側巻線の巻き始め側と直流電圧源のプラス側との間に第１のスイッチング素子が接続され、前記出力トランスの１次側巻線の巻き終わり側と前記直流電圧源のマイナス側との間に第２のスイッチング素子が接続された１次側回路と、
前記トランスの２次側巻線の巻き始め側に第１のダイオードのアノード端子が接続され、出力トランスの２次側巻線の巻き終わり側に第２のダイオードのアノード端子が接続され、第１のダイオードと第２のダイオードのカソード端子が接続され、第２のダイオードのカソード端子と第１のチョークコイルの巻き始め側が接続され、第２のダイオードのアノード端子と第２のチョークコイルの巻き終わり側が接続され、前記第１のチョークコイルの巻き終わり側がプラス側出力端子に接続され、第２のチョークコイルの巻き始め側がマイナス側出力端子に接続され、前記出力端子間にコンデンサが接続された２次側回路と、
前記第１のチョークコイルと第２のチョークコイルは、各巻線に流れる電流によって発生する磁束の方向が同じになる方向で同数ずつ同じコアに巻かれて磁気結合されたことを特徴とするスイッチング電源装置。
【請求項２】
出力トランスの１次側巻線の巻き終わり側と直流電圧源のプラス側との間に第１のスイッチング素子が接続され、前記出力トランスの１次側巻線の巻き始め側と前記直流電圧源のマイナス側との間に第２のスイッチング素子が接続された１次側回路と、
前記トランスの２次側巻線の巻き終わり側に第１のダイオードのアノード端子が接続され、出力トランスの２次側巻線の巻き始め側に第２のダイオードのアノード端子が接続され、第１のダイオードと第２のダイオードのカソード端子が共通接続され、第２のダイオードのカソード端子と第１のチョークコイルの巻き始め側が接続され、第２のダイオードのアノード端子と第２のチョークコイルの巻き終わり側が接続され、前記第１のチョークコイルの巻き終わり側がプラス側出力端子に接続され、第２のチョークコイルの巻き始め側がマイナス側出力端子に接続され、前記出力端子間にコンデンサが接続された２次側回路と、
前記第１のチョークコイルと第２のチョークコイルは、各巻線に流れる電流によって発生する磁束の方向が同じになる方向で同数ずつ同じコアに巻かれて磁気結合されたことを特徴とするスイッチング電源装置。
【請求項３】
出力トランスの１次側巻線の巻き始め側と直流電圧源のプラス側との間に第１のスイッチング素子が接続され、前記出力トランスの１次側巻線の巻き終わり側と前記直流電圧源のマイナス側との間に第２のスイッチング素子が接続された１次側回路と、
前記トランスの２次側巻線の巻き終わり側に第１のダイオードのカソード端子が接続され、出力トランスの２次側巻線の巻き始め側に第２のダイオードのカソード端子が接続され、第１のダイオードと第２のダイオードのアノード端子が共通接続され、第２のダイオードのカソード端子と第１のチョークコイルの巻き始め側が接続され、第１のダイオードのアノード端子と第２のチョークコイルの巻き終わり側が接続され、前記第１のチョークコイルの巻き終わり側がプラス側出力端子に接続され、第２のチョークコイルの巻き始め側がマイナス側出力端子に接続され、前記出力端子間にコンデンサが接続された２次側回路と、
前記第１のチョークコイルと第２のチョークコイルは、各巻線に流れる電流によって発生する磁束の方向が同じになる方向で同数ずつ同じコアに巻かれて磁気結合されたことを特徴とするスイッチング電源装置。
【請求項４】
出力トランスの１次側巻線の巻き始め側と直流電圧源のプラス側との間に第１のスイッチングが素子接続され、前記出力トランスの１次側巻線の巻き終わり側と前記直流電圧源のマイナス側との間に第２のスイッチング素子が接続された１次側回路と、
前記トランスの２次側巻線の巻き始め側に第１のダイオードのアノード端子が接続され、出力トランスの２次側巻線の巻き終わり側に第２のダイオードのアノード端子が接続され、第１のダイオードと第２のダイオードのカソード端子が接続され、第２のダイオードのカソード端子と第１のチョークコイルの巻き終わり側が接続され、第２のダイオードのアノード端子と第２のチョークコイルの巻き始め側が接続され、前記第１のチョークコイルの巻き始め側がプラス側出力端子に接続され、第２のチョークコイルの巻き終わり側がマイナス側出力端子に接続され、前記出力端子間にコンデンサが接続された２次側回路と、
前記第１のチョークコイルと第２のチョークコイルは、各巻線に流れる電流によって発生する磁束の方向が同じになる方向で同数ずつ同じコアに巻かれて磁気結合されたことを特徴とするスイッチング電源装置。
【請求項５】
出力トランスの１次側巻線の巻き始め側と直流電圧源のプラス側との間に第１のスイッチング素子が接続され、前記出力トランスの１次側巻線の巻き終わり側と前記直流電圧源のマイナス側との間に第２のスイッチング素子が接続された1次側回路と、
前記トランスの２次側巻線の巻き始め側に第１の電界効果トランジスタのドレイン端子が接続され、出力トランスの２次側巻線の巻き終わり側に第２の電界効果トランジスタのドレイン端子が接続され、第１の電界効果トランジスタと第２の電界効果トランジスタのソース端子が共通接続され、第２の電界効果トランジスタのソース端子と第１のチョークコイルの巻き始め側が接続され、第２の電界効果トランジスタのドレイン端子と第２のチョークコイルの巻き終わり側が接続され、前記第１のチョークコイルの巻き終わり側がプラス側出力端子に接続され、第２のチョークコイルの巻き始め側がマイナス側出力端子に接続され、前記出力端子間にコンデンサが接続された２次側回路と、
前記第１のチョークコイルと第２のチョークコイルは、各巻線に流れる電流によって発生する磁束の方向が同じになる方向で同数ずつ同じコアに巻かれて磁気結合されたことを特徴とするスイッチング電源装置。
【請求項６】
請求項１乃至５のいずれかに記載のスイッチング電源装置に於いて、前記１次側回路の第１及び第２のスイッチング素子は第１及び第２の電界効果トランジスタであり、出力トランスの１次側巻線の巻き始め側に第１の電界効果トランジスタのソース端子が接統されると共にドレイン端子が直流電圧源のプラス側に接続され、出力トランスの１次側巻線の巻き終わり側に第２の電界効果トランジスタのドレイン端子が接続されると共にソース端子が直流電圧源のマイナス側に接続されたことを特徴とするスイッチング電源装置。
【請求項７】
請求項１乃至５のいずれかに記載のスイッチング電源装置に於いて、前記１次側回路の第１及び第２のスイッチング素子は第１及び第２のバイポーラ型トランジスタであり、出力トランスの１次側巻線の巻き始め側に第１のバイポーラ型トランジスタのエミッタ端子が接統されると共にコレクタ端子が直流電圧源のプラス側に接続され、出力トランスの１次側巻線の巻き終わり側に第２の電界効果トランジスタのコレクタ端子が接続されると共にエミッタ端子が直流電圧源のマイナス側に接続されたことを特徴とするスイッチング電源装置。
【請求項８】
請求項１乃至７のいずれかに記載のスイッチング電源装置に於いて、前記直流電圧源側に交流電源を整流する整流平滑回路を接続したことを特徴とするスイッチング電源装置。
【請求項９】
請求項１乃至７のいずれかに記載のスイッチング電源装置に於いて、前記直流電圧源側に力率改善回路を接続したことを特徴とするスイッチング電源装置。
【発明の詳細な説明】
【技術分野】
【０００１】
本発明は、回路内部で発生するノイズ源電圧を打消し、外部へ漏洩するノイズ成分を低減する回路構成を備えたスイッチング電源装置に関する。
【背景技術】
【０００２】
従来、この種のスイッチング電源装置のノイズ電圧の打消し回路としては、例えば図９に示すものがある。
【０００３】
図９において、この回路はフォワードコンバータとして動作する。出力トランスＴ１１の１次側巻線は同じ巻数の巻線Ｐ１１と巻線Ｐ２１の二つに分割されており、２次側巻線も同じ巻数の巻線Ｓ１１とＳ２１に分割されている。巻線Ｐ１１，Ｐ２１，Ｓ１１，Ｓ２１は全て同じコアに巻かれており、互いに磁気結合している。
【０００４】
１次側回路のＭＯＳ型電界効果トランジスタを使用したスイッチング素子ＴＲ１１は、出力トランスＴ１１の１次側巻線の中間部分、すなわちスイッチング素子ＴＲ１１のドレイン端子Ｄが巻線Ｐ１１に、ソース端子Ｓが巻線Ｐ２１に按続されている。
【０００５】
２次側回路内のフォーワード側の整流ダイオードD１１は、出力トランスＴ１１の2次巻線の中間部分、すなわちカソード端子が巻線Ｓ１１に、アノード端子が巻線Ｓ２１に接統されている。２次側回路内のフライホイール側の整流ダイオードＤ２１のカソード端子は出力トランスＴ１１の２次巻線Ｓ１１とチョークコイルＬ１１に接続され、アノード端子は出カトランスＴ１１の２次巻線Ｓ２１とチョークコイルＬ２１に接続されている。
【０００６】
チョークコイルＬ１１とＬ２１は同じコアに巻かれており、互いに磁気結合しており、それぞれの巻線に流れる電流によって発生する磁束の方向が同じになるような巻方向に巻き線が巻かれている。
【０００７】
制御ＩＣ１０１によるスイッチング素子ＴＲ１１のオン・オフ動作によって出カトランスＴ１１の１次側巻線Ｐ１１とＰ２１に発生する電圧は逆位相となり、接地端子ＦＧ部との間に発生するコモンモードノイズは互いに逆位相となる。
【０００８】
また、２次側回路側のチョークコイルＬ１１とＬ２１に発生する電圧も逆位相となるため、接地端子ＦＧ部との間に発生するコモンモードノイズは互いに逆位相となる。このため、１次側のスイッチング素子ＴＲ１１のオン・オフ動作によって発生する電圧振動は互いに打消しあってコモンモードノイズとして発生しない。
【発明の開示】
【発明が解決しようとする課題】
【０００９】
しかしながら、このような従来のスイッチング電源装置の回路構成にあっては、出カトランスの１次側巻線を２つに分割し、巻線間にスイッチング素子を接続し、さらに２次側巻線を２つに分割し、巻線間にダイオードを接続する構成となっていたため、次の問題がある。
【００１０】
第１に、出カトランスの巻線を接続するためのボビンに必要なピン数として、巻線Ｐ１１，Ｐ２１，Ｓ１１，Ｓ２１の巻き始めと巻き終わりを接続するため、最低でも８ピン以上のピンが必要になるため、出力トランスの外形が大きくなってしまう問題点がある。
【００１１】
第２に、１次側巻線Ｐ１１とＰ２１の間に接続するスイッチング素子を配線するためのプリント基板上のパターンと、２次側巻線Ｓ１１とＳ２１の間に接続するフォワード側の整流ダイオードを配線するためのプリント基板上のパターンに流れる電流によって電力損失が発生するため、電源装置の変換効率が低下してしまう問題点がある。
【００１２】
本発明は、トランス外形を大きくすることなくコモンモードノイズ成分を低減するスイッチング電源装置を提供することを目的とする。
【課題を解決するための手段】
【００１３】
この目的を達成するため本発明は次のように構成する。
【００１４】
本発明のスイッチング電源装置は、出力トランスの１次側巻線の巻き始め側と直流電圧源のプラス側との間に第１のスイッチング素子が接続され、前記出力トランスの１次側巻線の巻き終わり側と前記直流電圧源のマイナス側との間に第２のスイッチング素子が接続された１次側回路と、トランスの２次側巻線の巻き始め側に第１のダイオードのアノード端子が接続され、出力トランスの２次側巻線の巻き終わり側に第２のダイオードのアノード端子が接続され、第１のダイオードと第２のダイオードのカソード端子が接続され、第２のダイオードのカソード端子と第１のチョークコイルの巻き始め側が接続され、第２のダイオードのアノード端子と第２のチョークコイルの巻き終わり側が接続され、第１のチョークコイルの巻き終わり側がプラス側出力端子に接続され、第２のチョークコイルの巻き始め側がマイナス側出力端子に接続され、出力端子間にコンデンサが接続された２次側回路と、第１のチョークコイルと第２のチョークコイルは、各巻線に流れる電流によって発生する磁束の方向が同じになる方向で同数ずつ同じコアに巻かれて磁気結合されたことを特徴とする。
【００１５】
このように本発明のスイッチング電源装置は、出力トランスの1次側巻線及び２次側巻線を分割せず、出力トランスの１次側巻線の両端に第１のスイッチング素子と第２のスイッチングをそれぞれ接続し、出力トランスの２次側巻線の両端に整流用ダイオードを接続し、フライホイール側整流ダイオードの両端に互いに結合した二つのチョークコイルを接続する構成とすることによって、トランスボビンに必要なピン数を最低で４ピンまで減らし、かつプリント基板上に必要な配線パターン長を短くし、コモンモードノイズの打消す。
【００１６】
本発明の他の形態としては、出カトランスの１次側巻線の巻き始め側と巻き終わり側を逆に接続し、２次側巻線の巻き始め側と巻き終わり側を逆に接続するようにしても良い。
【００１７】
本発明の他の形態としては、第１のダイオードのカソード端子と出力トランスの２次側巻線の巻き終わり側が接続され、第１のダイオードのアノード端子と第２のダイオードのアノード端子が接統され、第２のダイオードのカソード端子と出力トランスの２次側巻線の巻き始め側が接続された回路構成としても良い。
【００１８】
本発明の他の形態として、第１のチョークコイルの巻き始め側と巻き終わり側を逆に接続し、第２のチョークコイルの巻き始め側と巻き終わり側を逆に接続する回路構成としても良い。
【００１９】
本発明の他の形態として、２次側回路の第１及び第２のダイオードを、ダイオードのカソード側を電界効果トランジスタのドレイン側に、またダイオードのアノード側を電界効果トランジスタのソース側に対応させて、第１及び第２の電界効果トランジスタに置き換えた回路構成としても良い。
【００２０】
ここで１次側スイッチング素子としては電界効果トランジスタまたはバイポーラ型トランジスタを用いたことを特徴とする。
【００２１】
本発明の他の形態として、直流電圧源側に交流電源を整流する整流平滑回路を接続した回路構成としても良いし、直流電圧源側に力率改善回路を接続した回路構成としても良い。
【発明の効果】
【００２２】
本発朋によれば、出力トランスの１次側巻線及び２次側巻線を分割せず、出力トランスの１次側巻線の両端に第１のスイッチング素子と第２のスイッチングをそれぞれ接続し、出力トランスの２次側巻線の両端に整流用ダイオードを接続し、フライホイール側整流ダイオードの両端に互いに結合した２つのチョークコイルを接続する構成とすることによって、トランスボビンに必要なピン数を最低で４ピンまで減らし、かつプリント基板上に必要な配線パターン長を短くし、これによってトランス外形を大きくすることなくノイズ源電圧の打消し回路を構成し、コモンモードノイズ成分を低減することができる。
【００２３】
この結果、電源装置内部、または電源装置外部に接統するノイズフィルタ回路を小型化、または省略することができ、機器の小型化・低コスト化を行うことができる。
【発明を実施するための最良の形態】
【００２４】
図１は本発明によるスイッチング電源装置の実施形態を示した回路図である。まず構成を説明すると、本発明のスイッチング電源回路は１次側回路１と２次側回路２で構成され、フォワードコンバータとしての動作機能を持つように構成している。
【００２５】
１次側回路１において、出力トランスＴ１は１次側巻線Ｐ１と２次側巻線Ｓ１を有する。尚、各巻線Ｐ１，Ｓ１の巻始め側について「・」をつけて示している。出力トランスＴ１の１次側巻線Ｐ１に対しては電界効果トランジスタを用いた第１のスイッチング素子ＴＲ１と第２のスイッチング素子ＴＲ２が接続される。
【００２６】
即ち、第１のスイッチング素子ＴＲ１のソース端子Ｓを出力トランスＴ１の１次側巻線Ｐ１の巻始め側に接続し、第１のスイッチング素子ＴＲ１のドレイン端子Ｄは直流電圧源４のプラス電圧側に接続される。
【００２７】
また第２のスイッチング素子ＴＲ２のドレイン端子を出力トランスＴ１の１次側巻線Ｐ１の巻終わり側に接続し、第２のスイッチング素子ＴＲ２のソース端子Ｓを直流電圧源４のマイナス電圧側に接続する。直流電圧源側には直流入力端子３ａ，３ｂが設けられる。また第１及び第２のスイッチング素子ＴＲ１，ＴＲ２のオンオフ制御を行なう制御ＩＣ５が設けられる。
【００２８】
次に２次側回路２について説明すると、出力トランスＴ１の２次側巻線Ｓ１の巻始め側を第１のダイオードＤ１のアノード端子に接続し、２次側巻線Ｓ１の巻終わり側を第２のダイオードＤ２のアノード端子に接続しており、第１及び第２のダイオードＤ１，Ｄ２のカソード端子を共通に接続している。
【００２９】
続いて第１及び第２のダイオードＤ１，Ｄ２のカソード側の共通接続点を第１のチョークコイルＬ１の巻始め側に接続し、第２のダイオードＤ２のアノード端子を第２のチョークコイルＬ２の巻終わり側に接続する。第１のチョークコイルＬ１の巻終わり側はプラス側の出力端子６ａに接続され、第２のチョークコイルＬ２の巻始め側はマイナス側の出力端子６ｂに接続される。出力端子６ａ，６ｂの両端にはコンデンサＣ１が接続される。
【００３０】
ここで第１のチョークコイルＬ１と第２のチョークコイルＬ２は同じコアに同じ巻数でそれぞれの巻線に流れる電流によって発生する磁束の向きが同じになる方向で巻きあわされ、これによって第１及び第２のチョークコイルＬ１，Ｌ２は磁気結合した状態となっている。
【００３１】
更に出力端子６ａ，６ｂ側を誤差増幅アイソレート部７に接続し、この出力を制御ＩＣ５に入力してフィードバック回路を構成している。制御ＩＣ５は誤差増幅アイソレート部７で検出される出力電圧の基準電圧に対する誤差をなくすように第１及び第２のスイッチング素子ＴＲ１，ＴＲ２をオン・オフ制御することになる。
【００３２】
次に図１の実施形態の動作を説明する。図１の実施形態の回路はフォードコンバータとして動作する。１次側回路１に設けている第１及び第２のスイッチング素子ＴＲ１，ＴＲ２は制御ＩＣ５からの制御信号によって同位相で同時にオン・オフ制御する。
【００３３】
即ち、第１のスイッチング素子ＴＲ１がオンの時には第２のスイッチング素子ＴＲ２もオンし、第１のスイッチング素子ＴＲ１がオフの時には第２のスイッチング素子ＴＲ２もオフするように制御する。
【００３４】
２次側回路２は、第１及び第２のダイオードＤ１，Ｄ２、第１及び第２のチョークコイルＬ１，Ｌ２、コンデンサＣ１によって整流平滑回路を構成しており、出力端子６ａ，６ｂから一定の直流電圧を負荷側に供給する。
【００３５】
フォワードコンバータにあっては、第１及び第２のスイッチング素子ＴＲ１，ＴＲ２のオン・オフ動作によって２次側回路２おいて２次側巻線Ｓ１より第１及び第２のスイッチング素子ＴＲ１，ＴＲ２のオン時間の時間幅を持つ矩形波の電圧が加えられ、この矩形波電圧の平均値が直流出力電圧となる。
【００３６】
第１及び第２のスイッチング素子ＴＲ１，ＴＲ２のオン・オフ制御により負荷電流の変化に対し出力電圧を一定に保つための制御は誤差増幅アイソレート部７と制御ＩＣ５によって行なわれる。
【００３７】
１次側回路１の第１及び第２のスイッチング素子ＴＲ１，ＴＲ２のオン・オフ動作によってそれぞれのドレイン、ソース間に発生する電圧は、第１及び第２のスイッチング素子ＴＲ１，ＴＲ２がオン状態の時には電界効果トランジスタのオン抵抗の値によって決まる電圧まで低下する。ここで、電界効果トランジスタのオン抵抗は十分に小さくほぼ０ボルトとして扱うことができる。
【００３８】
一方、第１及び第２のスイッチング素子ＴＲ１，ＴＲ２がオフ状態の時には直流電圧源４と出力トランスＴ１の１次側巻線Ｐ１に発生する電圧の合計が第１及び第２のスイッチング素子ＴＲ１，ＴＲ２の各電界効果トランジスタのオフ状態でのドレイン、ソース間容量の比率で分圧されて印加される。
【００３９】
通常製造される本発明のスイッチング電源装置に用いる電界効果トランジスタは、同一製造ロットのものを使用するため、第１及び第２のスイッチング素子ＴＲ１，ＴＲ２のドレイン、ソース間容量の値はほぼ同じである。このため第１及び第２のスイッチング素子ＴＲ１，ＴＲ２がオフ状態となるときのそれぞれのドレイン、ソース間に発生する電圧はほぼ同じ値となる。
【００４０】
従って第１及び第２のスイッチング素子ＴＲ１，ＴＲ２のオン期間及びオフ期間ともにそれぞれのドレイン、ソース間に発生する電圧は同じ波形であり、且つ逆位相となり接地端子ＦＧ部との間に発生するコモンモードノイズは互いに逆位相となる。
【００４１】
また２次側回路２において、第１及び第２のスイッチング素子ＴＲ１，ＴＲ２のオン・オフ動作によって出力トランスＴ１の２次側巻線Ｓ１より加えられる矩形波電圧は第１及び第２のチョークコイルＬ１，Ｌ２に印加されるが、第１及び第２のチョークコイルＬ１，Ｌ２の巻数は同じであるためにそれぞれに印加される電圧の値は同じであり且つ逆位相となる。
【００４２】
この結果、第１及び第２のスイッチング素子ＴＲ１，ＴＲ２のオン・オフ動作によって発生する回路内部の電圧振動は、１次側回路１で発生する電圧振動、２次側回路２で発生する電圧振動ともに逆位相となるため、接地端子ＦＧ部との間で発生するコモンモードノイズは互いに逆位相となって打ち消しあい、電源装置外部へ漏洩するノイズ電流となって表れることはない。
【００４３】
図２は本発明の他の実施形態を示した回路図であり、この実施形態にあっては図１における１次側回路１に設けている第１及び第２のスイッチング素子ＴＲ１，ＴＲ２をバイポーラ型トランジスタＱ１，Ｑ２としたことを特徴とし、他の構成は同じである。
【００４４】
図３は本発明の他の実施形態を示した回路図であり、出力トランスＴ１の１次側巻線Ｐ１及び２次側巻線Ｓ１について巻始めと巻終わりを逆にしたことを特徴とする。即ち図１の実施形態にあっては、出力トランスＴ１の１次側巻線Ｐ１につき第１のスイッチング素子ＴＲ１側との接続側を巻始めとしているが、図３にあってはこれを逆とし、第１のスイッチング素子ＴＲ１側について１次側巻線Ｐ１の巻終わり側を接続している。また出力トランスＴ１の２次側巻線Ｓ１についてもダイオードＤ１側を巻終わり側と逆にしている。尚、他の構成は図１の実施形態と同じである。
【００４５】
図４は本発明の他の実施形態を示した回路図であり、２次側回路の第１及び第２のダイオードＤ１，Ｄ２の接続を図１に対し、逆に入換え接続したことを特徴とする。即ち、図４の実施形態にあっては第１のダイオードＤ１のカソード端子と出力トランスＴ１の２次側巻線Ｓ１の巻終わり側を接続し、そのアノード端子を第２のダイオードＤ２のカソード端子に共通接続し、第２のダイオードＤ２のカソード端子を出力トランスＴ１の２次側巻線Ｓ１の巻始め側に接続している。他の構成は図１の実施形態と同じである。
【００４６】
図５は本発明の他の実施形態を示した回路図であり、図１の実施形態における２次側回路２の第１及び第２のチョークコイルＬ１，Ｌ２の巻始め側と巻終わり側を逆に接続したことを特徴とする。他の構成は図１の実施形態と同じである。
【００４７】
図６は本発明の他の実施形態を示した回路図であり、図１の実施形態における２次側回路２の第１及び第２のダイオードＤ１，Ｄ２をそれぞれＭＯＳ型電界効果トランジスタに置換えたことを特徴とする。
【００４８】
即ち図６の実施形態にあっては、出力トランスＴ１の２次側巻線Ｓ１に対し、ダイオードＤ１，Ｄ２の代わりに第１の電界効果トランジスタＦＥＴ１と第２の電界効果トランジスタＦＥＴ２を接続している。
【００４９】
ここで電界効果トランジスタＦＥＴ１，ＦＥＴ２についてはドレイン端子Ｄがダイオードのカソード端子に対応し、ソース端子Ｓがダイオードのアノード端子に対応する。従って出力トランスＴ１における２次側巻線Ｓ１の巻始め側を第１の電界効果トランジスタＦＥＴ１のソース端子Ｓに接続し、２次側巻線Ｓ１の巻終わり側を第２の電界効果トランジスタＦＥＴ２のソース端子Ｓに接続し、第１及び第２の電界効果トランジスタＦＥＴ１，ＦＥＴ２の各ドレイン端子Ｄを共通接続している。
【００５０】
図７は本発明の他の実施形態を示した回路図であり、図１の実施形態の直流電圧源４に代えて交流電源を接続する整流平滑回路を設けたことを特徴とする。図７において、１次側回路１及び２次側回路２は図１の実施形態と同じであり、１次側回路１の入力側に整流平滑回路８を設けている。
【００５１】
整流平滑回路８は交流入力端子１０ａ，１０ｂ、ダイオードブリッジ１１及びコンデンサＣ２で構成され、交流入力端子１０ａ，１０ｂに接続された交流電源９からの交流電力の供給を受け、ダイオードブリッジ１１で整流した後、コンデンサＣ２で平滑し、これによって得た直流電圧を１次側回路１に入力している。
【００５２】
図８は本発明の他の実施形態を示した回路図であり、この実施形態にあっては図１の回路における直流電圧源４に変えて、力率改善回路１２を設けたことを特徴とする。力率改善回路１２は昇圧チョッパ回路を構成しており、コンデンサＣ３、昇圧チョークコイルＬ３、スイッチング素子ＴＲ３及び整流用のダイオードＤ３で構成され、スイッチング素子ＴＲ３は制御ＩＣ１３によりスイッチング制御される。
【００５３】
直流入力端子３ａ，３ｂ間にはその前段に設けた図７の整流平滑回路８におけるダイオードブリッジ１１からの全波整流電圧が入力され、この全波整流電圧の電圧再波形にスイッチング素子ＴＲ３のスイッチングによるスイッチング電流のピーク時が吸収し、平均電流が全波整流電圧と同位相となることで力率を１となるように制御ＩＣ１３がスイッチング素子ＴＲ３のオン・オフ制御を行なう。この力率改善回路１２に続く１次側回路１及び２次側回路２は図１の実施形態と同じになる。
【００５４】
尚、図３〜図８の実施形態についても、図２のように第１及び第２のスイッチング素子をバイポーラ型トランジスタＱ１，Ｑ２としても良い。また本発明は、上記の実施形態に限定されず、その目的と利点を損なうことのない適宜の変形を含む。
【図面の簡単な説明】
【００５５】
【図１】本発明の実施形態を示した回路図
【図２】１次側スイッチング素子をバイポーラ型トランジスタとした本発明の他の実施形態を示した回路図
【図３】出力トランスの１次側巻線を逆極性とした本発明の他の実施形態を示した回路図
【図４】２次側回路の整流ダイオードを逆に入れ替え接続した本発明の他の実施形態を示した回路図
【図５】２次側回路のチョークコイルの巻き始め側と巻き終わり側を逆に入れ替え接続した本発明の他の実施形態を示した回路図
【図６】２次側回路の整流ダイオードを電界効果トランジスタに置き換えた本発明の他の実施形態を示した回路図
【図７】１次側回路側に交流電源を接続する整流平滑回路を設けた本発明の他の実施形態を示した回路図
【図８】１次側回路側に力率改善回路を設けた本発明の他の実施形態を示した回路図
【図９】従来のスイッチング電源装置の回路図
【符号の説明】
【００５６】
１：１次側回路
２：２次側回路
３ａ，３ｂ：直流入力端子
４：直流電圧源
５：制御ＩＣ
６ａ，６ｂ：出力端子
７：誤差増幅・アイソレート部
８：整流平滑回路
９：交流電源
１０ａ，１０ｂ：交流入力端子
１１：ダイオードブリッジ
１２：力率改善回路
１３：制御ＩＣ
ＴＲ１：第１のスイッチング素子
ＴＲ２：第２のスイッチング素子
Ｑ１：第１のバイポーラ型トランジスタ
Ｑ２：第２のバイポーラ型トランジスタ
Ｔ１：出力トランス
Ｐ１：１次側巻線
Ｓ１：２次側巻線
Ｄ１：第１のダイオード
Ｄ２：第２のダイオード
Ｌ１：第１のチョークコイル
Ｌ２：第２のチョークコイル
Ｃ１，Ｃ２，Ｃ３：コンデンサ
ＦＥＴ１：第１の電界効果トランジスタ
ＦＥＴ２：第２の電界効果トランジスタ
【図１】
2005151680.tif 000003
【図２】
2005151680.tif 000004
【図３】
2005151680.tif 000005
【図４】
2005151680.tif 000006
【図５】
2005151680.tif 000007
【図６】
2005151680.tif 000008
【図７】
2005151680.tif 000009
【図８】
2005151680.tif 000010
【図９】
2005151680.tif 000011